(57)【要約】      （修正有）【課題】良質の糠を利用者に提供できる精米設備を提供する。【解決手段】利用者が持参した玄米を精米処理する精米機と、精米機の精米処理で発生した糠を利用者が取り出す糠取出し部と、糠を収容する糠容器と、利用者が糠を取り出すことを選択する糠取り出しスイッチを設けた精米設備において、精米機における精米処理が開始するまでに利用者が糠取り出しスイッチを操作すると、精米処理の開始直後の糠を糠容器に収容し、その後糠取出し部側に切り替えて糠を供給する。【選択図】図７
2012170925.tif 000002
【特許請求の範囲】
【請求項１】
利用者が持参した玄米を精米処理する精米機と、精米機の精米処理で発生した糠を利用者が取り出す糠取出し部と、糠を収容する糠容器と、利用者が糠を取り出すことを選択する糠取り出しスイッチを設けた精米設備において、
精米機における精米処理が開始するまでに利用者が糠取り出しスイッチを操作すると、精米処理の開始直後の糠を糠容器に収容し、その後糠取出し部側に切り替えて糠を供給することを特徴とする精米設備。
【請求項２】
精米開始直後とは、精米処理開始時に精米機の精米圧力を設定精白度よりも高い圧力で精白処理する精米初期工程中であることを特徴とする請求項１記載の精米設備。
【請求項３】
精米初期工程以降に利用者が糠取り出しスイッチを操作すると、即座に糠容器側から糠取り出し部側に切り替ることを特徴とする請求項２記載の精米設備。
【請求項４】
利用者が持参した玄米を精米処理する精米機と、精米機の精米処理で発生した糠を利用者が取り出す糠取出し部と、糠を収容する糠容器と、利用者が糠を取り出すことを選択する糠取り出しスイッチを設けた精米設備において、
精米機における精米処理が開始するまで、または精米運転中に利用者が糠取り出しスイッチを操作すると、精米処理の終了直前に発生した糠を糠取り出し部側から糠容器に切り替えて供給することを特徴とする精米設備。
【請求項５】
精米処理の終了直前とは、精米処理終了直前に精米機の精米圧力を設定精白度よりも高い圧力で精白処理する精米終了工程中であることを特徴とする請求項４記載の精米設備。
【発明の詳細な説明】
【技術分野】
【０００１】
本発明は、利用者が持参した籾や玄米等の穀物を精米処理する精米設備に関する。
【背景技術】
【０００２】
特許文献には精米設備で精米した糠を利用者が持ち帰る構成が記載されている。
【先行技術文献】
【特許文献】
【０００３】
【特許文献１】特許第３７０７１５７号公報
【発明の概要】
【発明が解決しようとする課題】
【０００４】
精米開始直後や精米終了時に、精米機内の玄米が少なくなり、精米圧力が低下するので、未精白米の排出を防止するために精米圧力を高くして精米処理を行なう。このときに、砕米や米の欠片が発生し易く、これらが糠に混じると糠の品質が低下する。本発明は、良質の糠を利用者に提供することを課題とする。
【課題を解決するための手段】
【０００５】
この発明は、かかる技術的課題を解決するために次のような技術的手段を構成した。すなわち、請求項１の発明では、利用者が持参した玄米を精米処理する精米機（６）と、精米機（６）の精米処理で発生した糠を利用者が取り出す糠取出し部と、糠を収容する糠容器（１５）と、利用者が糠を取り出すことを選択する糠取り出しスイッチ（３３）を設けた精米設備において、精米機（６）における精米処理が開始するまでに利用者が糠取り出しスイッチ（３３）を操作すると、精米処理の開始直後の糠を糠容器（１５）に収容し、その後糠取出し部側に切り替えて糠を供給することを特徴とする精米設備とする。
【０００６】
請求項２記載の発明では、精米開始直後とは、精米処理開始時に精米機（６）の精米圧力を設定精白度よりも高い圧力で精白処理する精米初期工程中であることを特徴とする請求項１記載の精米設備とする。
【０００７】
請求項３記載の発明では、精米初期工程以降に利用者が糠取り出しスイッチ（３３）を操作すると、即座に糠容器側から糠取り出し部側に糠の供給を切り替ることを特徴とする請求項２記載の精米設備とする。
【０００８】
請求項４記載の発明では、利用者が持参した玄米を精米処理する精米機（６）と、精米機（６）の精米処理で発生した糠を利用者が取り出す糠取出し部と、糠を収容する糠容器（１５）と、利用者が糠を取り出すことを選択する糠取り出しスイッチ（３３）を設けた精米設備において、精米機（６）における精米処理が開始するまで、または精米運転中に利用者が糠取り出しスイッチ（３３）を操作すると、精米処理の終了直前に発生した糠を糠取り出し部側から糠容器（１５）に切り替えて供給することを特徴とする精米設備とする。
【０００９】
請求項５記載の発明では、精米処理の終了直前とは、精米処理終了直前に精米機（６）の精米圧力を設定精白度よりも高い圧力で精白処理する精米終了工程中であることを特徴とする請求項４記載の精米設備とする。
【発明の効果】
【００１０】
本願発明においては、精米機の精米処理で発生する糠に砕米や米の欠片等が混じるのを防止し、利用者に良質の糠を提供することが出来る。
【図面の簡単な説明】
【００１１】
【図１】平面から見た精米設備の内部を説明する図
【図２】側面から見た糠処理部Ｎを説明する図
【図３】精米設備の作業工程図
【図４】正面から見た操作室を示す図
【図５】糠ペレットをパック処理することを示す斜視図
【図６】糠ペレットをパック処理することを示す側面図及び平面図
【図７】精米設備の運転制御のフローチャート
【図８】側面から見た糠処理部Ｎの別実施例を説明する図
【発明を実施するための形態】
【００１２】
本発明の精米設備の構成について説明する。
精米設備を作業工程順に説明すると、玄米を投入する投入ホッパ１と、投入ホッパ１の下部に設けるロータリバルブ２と、第一昇降機３と、石抜機４と、第二昇降機５と、圧迫板６ａの圧迫作用で所望の精白度に精白処理する周知の精米機６と、精米処理した精白米を受ける白米タンク９とを備える。また、精米機６で精米処理した糠は、糠処理部Ｎへ搬送される。
【００１３】
図８に示すように、精米設備は建屋Ｔ内を仕切壁８で操作室Ｓと機械室Ｋとに仕切る。操作室Ｓ側には図７に示すような操作盤７や、投入ホッパ１の投入口１ａや白米タンク９の取出し口９ａを設ける。
【００１４】
機械室Ｋ側には第一昇降機３と、石抜機４と、第二昇降機５と、精米機６と、糠処理部Ｎを設けている。
仕切壁８には利用者が操作する操作盤７を設ける。操作盤７には料金投入口１０と、精白度選択スイッチ１１とを設けている。また、操作盤７内には各種装置を運転制御する制御部を内蔵している。また、操作室Ｓ側には精米処理した糠ペレット１６を持ち帰ることを希望する利用者が操作する糠取り出しスイッチ３３を設けている。糠取り出しスイッチ３３は後述する糠ペレット取り出し容器１８の上方に設けても良いし、操作盤７に設けても良い。
【００１５】
糠処理部Ｎについて以下説明する。
精米機６で発生し、糠搬送ファン６ｂで糠搬送筒３１を空気搬送した糠と空気とを分離するサイクロン１２と、サイクロン１２の下方にあって糠を移送する糠移送ラセン１３を内装する糠移送樋１４と、糠移送樋１４で搬送された糠を収容する糠容器１５と、糠移送樋１４で搬送された糠を固形のペレット状に製造する糠ペレット製造機Ｐと、糠ペレット製造機Ｐで製造した糠をフィルム等のビニールでパックする糠パック装置Ｇと、パックした糠ペレット１６を機械室Ｋ内に収容する糠ペレット収容容器１７と、パックした糠ペレット１６を操作室Ｓ側から取り出せる糠ペレット取り出し容器１８と、糠ペレット収容容器１７と糠ペレット取り出し容器１８のいずれかにパックした糠ペレット１６を案内する切替体１９と、糠パック装置Ｇから糠ペレット取り出し容器１８へ落下する糠ペレット１６を案内する第一糠案内シュート２９と、糠パックＧから糠ペレット収容容器１７へ落下する糠ペレット１６を案内する第二糠案内シュート３０とを備えている。  本実施の形態では操作室Ｓ側から利用者が糠を取り出す側を糠取り出し部側と呼ぶ。
【００１６】
糠容器１５は糠移送樋１４の一端に設け、糠ペレット製造機Ｐを糠移送樋１４の他端に設け、糠移送ラセン１３は糠移送ラセン駆動モータ１３ａにより正逆転可能な構成である。
【００１７】
糠ペレット製造機Ｐは設定量の糠を収容する糠収容筒２０と、糠収容筒２０の底部を開閉するシャッタ板２１と、糠を圧縮する圧縮板２２と、圧縮板２２を糠収容筒２０内で上下移動させる糠圧縮板シャフト２３と、糠圧縮板シャフト２３を上下移動させる糠圧縮モータ２４とを備えている。
【００１８】
糠パック装置Ｇはフィルム等のパック材２５をロール状に巻いた一対のパックロール２６と、パック材２５の一端を支持ずる支持ロール２７と、パック材２５を熱で溶かして切断・パックする切断部材２８等を備えている。
【００１９】
次に、利用が持参した玄米の精米処理を行い、糠ペレット１６をパック処理までの運転制御について説明する。
利用者は操作室Ｓに玄米を持参し、玄米を投入口１ａから投入ホッパ１に投入し、料金を料金投入口１０に投入する。そして、精白度選択スイッチ１１で所望の精白度を選択すると、精米運転が開始する。精米運転が開始されると、投入ホッパ１内の玄米はロータリバルブ２で繰り出され、第一昇降機３を経て石抜機４で石抜処理され、第二昇降機５を経て精米機６で精米処理され白米タンク９に精白米が排出される。利用者は白米タンク９の白米取出し口９ａから精白米を取出す。精米機６で発生した糠は糠搬送筒３１を空気搬送され、サイクロン１２で糠と空気とに分離される。
【００２０】
運転開始前又は運転開始から精米機が精米処理を開始するまでに糠取り出しスイッチ３３をＯＮすると、精米運転開始から精米機６での初期の精米処理で発生した糠は糠移送ラセン１３で糠容器１５側に搬送され、バラの糠の状態で糠容器１５内に収容される。それ以後は糠移送ラセン１３の回転方向が逆転し、また、糠移送ラセン１３を間欠駆動することで、糠を糠ペレット製造機Ｐに設定量ずつ搬送する。
【００２１】
初期の精米処理とは、最初に精米機６に供給した玄米を精白処理するために精米機の圧迫板６ａを設定精白度よりも高い圧力で精白処理する精米初期処理工程で、精米機内部が玄米で充填されていない状態で精白をすることによる未精白米の発生を防止するために行なわれる。この精米初期処理工程時には砕米や極小の米の欠片が糠に混じる白糠が発生しやすく、これらが糠に混じると糠の品質が低下する。そのため、精米初期の糠（糠ペレット）は利用者に提供せず、精米処理が安定する連続精米時の良質の糠（糠ペレット）を利用者に提供するものである。
【００２２】
精米初期処理工程が終了し、圧迫板６ａが利用者が設定した精白度の位置に移動し、通常の連続精米工程に移行する。該連続精米工程に移行した後に利用者が糠取り出しスイッチ３３を操作すると即座に糠を糠取り出し部側へ供給し、糠ペレット１６を製造して糠取り出し容器１８へ供給すべく切り替える構成とする。
【００２３】
糠ペレット製造機Ｐの糠収容筒２０に設定量ずつ供給された糠は、圧縮板２２の圧縮動作と開閉シャッタ２１との間で圧縮され、固形の糠ペレット１６に成形される。そして、開閉シャッタ２１が開いて糠ペレット１６が糠パック装置Ｇのパック材２５内に落下する。すると、開閉シャッタ２１は閉じると共に圧縮板２２が初期位置まで上昇する。そして、停止していた糠移送ラセン１３が再度駆動を開始して糠を糠収容室へ供給して次の糠ペレット１６が製造される。
【００２４】
糠パック装置Ｇは一対のパックロール２６から設定長さの一対のパック材２５を支持ロール２７で支持する。パック材２６の底部は予め図示しない接着部材で接着し、上部を開口して待機している。そして、前記パック材２６の開口部から糠ペレット１６が入り込むと切断部材２８が糠ペレット１６のパック剤周囲を電熱等で溶かして接着しながら切断して糠ペレット１６をパック状態にする。
【００２５】
そして、糠ペレット取り出し容器側１８に切り替えられている切替体１９と第一糠案内シュート２９で糠ペレット取り出し容器１８に案内される。そして、以後精米運転の継続と共に、設定時間毎に糠ペレット１６が製造される。投入料金分の運転時間の経過又は投入ホッパ１内の穀物有無センサ１ｂが投入した玄米無しを検出すると、ロータリバルブ２の駆動を停止し、以後、機械室内の装置各部に残留する残留玄米を精米処理する残米処理工程に入る。
【００２６】
残米処理工程で最後の残米を精米機６で精米処理するときに、圧迫板を圧力の高いほうへ移動して精米処理を行なういわゆる精米終了処理工程を行なう。この精米終了処理工程を行なうときには糠移送ラセン１３は再度逆転し、発生した糠を糠容器１５側に移送する。精米終了処理工程時も精米初期処理工程時と同様、砕米や極小の米の欠片が糠に混じる白糠が発生しやすく、これらが糠に混じると糠の品質が低下する。そのため、精米終了処理工程時の糠は利用者に提供せず、良質の糠を利用者に提供するものである。
【００２７】
精米終了処理工程が終了すると残米処理工程が終了し、精米運転の全工程が終了する。利用者は操作室Ｓ側から糠取り出し容器１８を引き出し、パックされた糠ペレット１６を取り出して持ち帰る。
【００２８】
前述の実施例では、利用者が糠取り出しスイッチ３３を操作したときには精米処理で発生した糠を糠ペレット１６にして、かつ糠ペレット１６を糠パックして利用者に持ち帰り、利用者が糠取り出しスイッチ３３を操作しないときには精米処理で発生した糠をバラの状態で糠容器１５に収容する構成を説明している。
【００２９】
利用者が糠取り出しスイッチ３３を操作しなかった場合には、精米設備の管理者の設定により糠容器１５にバラで収容する以外に以下の処理が行なわれるように設定が可能である。
【００３０】
糠を全て糠ペレット製造機で糠ペレットにして糠ペレット１６を切替体１９から第二糠案内シュート３０を経て糠ペレット収容容器１７に収容する方法である。このとき、図示はしないが糠パック装置Ｇを迂回する迂回路を経て若しくは糠ペレット１６が糠パックをしないで糠パック装置Ｇ内を通過して糠収容器１７に収容する構成とすることで、糠パックをするのを利用者に持ち帰ってもらう場合のみにすると良い。これにより不要なパック部材を使用することなくパック部材を節約できる。さらに精米設備の管理者にしてみればパックをしない単なる糠ペレット状態のほうが回収しやすい。
【００３１】
糠処理部Ｎの別実施例として、糠パック装置Ｇを取り外して、糠ペレット製造機Ｐで製造した糠ペレット１６を糠ペレット収容容器１７に収容されるか糠取り出し容器１８に取出せるかを切替体１９で切り替える構成としても良い。
【００３２】
本実施の形態は糠ペレット製造機Ｐにより糠ペレット１６を利用者に提供する技術について記載しているが、精米初期処理工程時と精米終了処理工程時に糠を糠取り出し部側に供給せず、管理者が回収する糠容器１５側に収容することで、良質の糠を利用者に提供する技術は、糠ペレットに限定せず、バラの糠を糠取り出し容器に供給する場合にも適用できる。
【００３３】
バラの糠の取出の構成については図８に示す。糠搬送筒３１で搬送された糠は、切換弁５０から糠容器サイクロン５１側を経て糠袋５３に収容するか、切換弁５０から糠取り出しサイクロン５２、糠取り出しラセン５４を経て糠取り出し口５５から操作室Ｓ側に排出されるかする。利用者はバラの糠を持参した袋Ｕで操作室Ｓ側から袋受空間５６で受けることで、良質の糠を持ち帰ることができる。
【符号の説明】
【００３４】
６  精米機
６ａ  圧迫板
１２  サイクロン
１３  糠移送ラセン
１４  糠移送樋
１５  糠容器
１６  糠ペレット
１７糠ペレット収容容器
１８糠ペレット取り出し容器
１９  切替体
３３  操作スイッチ（糠取り出しスイッチ）
Ｐ  糠ペレット製造機
Ｋ  機械室
【図１】
2012170925.tif 000003
【図２】
2012170925.tif 000004
【図３】
2012170925.tif 000005
【図４】
2012170925.tif 000006
【図５】
2012170925.tif 000007
【図６】
2012170925.tif 000008
【図７】
2012170925.tif 000009
【図８】
2012170925.tif 000010